(57)【要約】【課題】被取付部から照明器具までの厚みを薄くすることができる照明器具を提供する。【解決手段】筺体１０と、筺体１０の上部２０に設けられ、被取付部２００に着脱自在に取り付けられる給電端子２１と、筺体１０の周部３０に設けられた少なくとも１つの第１の発光素子３２と、筺体１０の底部４０に設けられた少なくとも１つの第２の発光素子４２と、筺体１０の内部に設けられ、第１の発光素子３２及び第２の発光素子４２のそれぞれに電力を供給する電源回路５０と、筺体１０を覆う器具本体１００と、器具本体１００における被取付部２００側に設けられ、第１の発光素子３２からの光を反射するための反射板１１０と、を備える。【選択図】図３
2017022010.tif 000002
【特許請求の範囲】
【請求項１】
筺体と、
前記筺体の上部に設けられ、被取付部に着脱自在に取り付けられる給電端子と、
前記筺体の周部に設けられた少なくとも１つの第１の発光素子と、
前記筺体の底部に設けられた少なくとも１つの第２の発光素子と、
前記筺体の内部に設けられ、前記第１の発光素子及び前記第２の発光素子のそれぞれに電力を供給する電源回路と、
前記筺体を覆う器具本体と、
前記器具本体における前記被取付部側に設けられ、前記第１の発光素子からの光を反射するための反射板と、を備える
照明器具。
【請求項２】
前記被取付部は引掛シーリングであり、
前記給電端子は栓刃であり、
前記給電端子は、当該給電端子が前記被取付部に設けられた端子挿入孔に挿入されることで、前記被取付部に取り付けられる
請求項１に記載の照明器具。
【請求項３】
前記給電端子を前記被取付部に着脱自在に取り付けるための着脱部を有する
請求項２に記載の照明器具。
【請求項４】
前記着脱部は、ロック爪部とロック解除ボタンとを有し、
前記ロック爪部は、前記給電端子が前記被取付部に取り付けられたときに、前記上部から前記端子挿入孔内へ突出することで、前記給電端子と前記被取付部とをロックし、
前記ロック解除ボタンは、操作されることで、前記上部から前記端子挿入孔内へ突出した前記ロック爪部を前記筺体内へ没入させ、前記給電端子と前記被取付部とのロックを解除する
請求項３に記載の照明器具。
【請求項５】
前記ロック解除ボタンは、前記上部の上面に設けられる
請求項４に記載の照明器具。
【請求項６】
前記筺体の上部のうちの前記給電端子の周囲の領域は、樹脂部材で形成され、
前記筺体の上部のうちの前記給電端子の周囲の領域以外の領域は、金属部材で形成されている
請求項１〜５のいずれか１項に記載の照明器具。
【請求項７】
前記筺体には、前記第１の発光素子と前記第２の発光素子とを覆う透光性カバーが設けられる
請求項１〜６のいずれか１項に記載の照明器具。
【発明の詳細な説明】
【技術分野】
【０００１】
本発明は、被取付部に取り付けられる照明器具に関する。
【背景技術】
【０００２】
従来、天井に取り付けられた被取付部（例えば引掛シーリング）に照明器具用アダプタを介して取り付けられる照明器具が知られている。特許文献１には、このような照明器具に関連する技術が記載されている。
【先行技術文献】
【特許文献】
【０００３】
【特許文献１】特開２０１５−０８８３３８号公報
【発明の概要】
【発明が解決しようとする課題】
【０００４】
ところで、照明器具が照明器具用アダプタを介して被取付部に取り付けられる場合、被取付部と照明器具との間に照明器具用アダプタが配置されるため、被取付部から照明器具までの厚みは、少なくとも照明器具用アダプタの厚み分、厚くなってしまう。
【０００５】
そこで本発明は、被取付部から照明器具までの厚みを薄くすることができる照明器具を提供することを目的とする。
【課題を解決するための手段】
【０００６】
本発明の一態様に係る照明器具は、筺体と、前記筺体の上部に設けられ、被取付部に着脱自在に取り付けられる給電端子と、前記筺体の周部に設けられた少なくとも１つの第１の発光素子と、前記筺体の底部に設けられた少なくとも１つの第２の発光素子と、前記筺体の内部に設けられ、前記第１の発光素子及び前記第２の発光素子のそれぞれに電力を供給する電源回路と、前記筺体を覆う器具本体と、前記器具本体における前記被取付部側に設けられ、前記第１の発光素子からの光を反射するための反射板と、を備える。
【発明の効果】
【０００７】
本発明の一態様に係る照明器具によれば、被取付部から照明器具までの厚みを薄くすることができる。
【図面の簡単な説明】
【０００８】
【図１】実施の形態１に係る照明器具の外観斜視図である。
【図２】実施の形態１に係る照明器具の分解斜視図である。
【図３】実施の形態１に係る筺体の分解斜視図である。
【図４】実施の形態１に係る照明器具と被取付部との取り付け方法を説明するための図である。
【図５】実施の形態１に係る筺体と被取付部との取り外し方法を説明するための図である。
【図６】実施の形態１に係る着脱部の動作を説明するための模式図である。
【図７】実施の形態１に係る反射板の作用を説明するための模式図である。
【図８】実施の形態２に係る反射板の作用を説明するための模式図である。
【発明を実施するための形態】
【０００９】
以下では、本発明の実施の形態に係る照明器具について、図面を用いて詳細に説明する。なお、以下に説明する実施の形態は、いずれも本発明の好ましい一例を示すものであり、本発明を限定する趣旨ではない。
【００１０】
また、各図は、厳密に図示されたものではなく、各図において、同じ構成部材については同じ符号を付している。
【００１１】
（実施の形態１）
以下、実施の形態１について、図１から図７を用いて説明する。なお、以下の実施の形態では、照明器具が天井の被取付部（引掛シーリング）に取り付けられた状態において天井側を上側、床面側を下側と表現する。なお、照明器具が壁などに取り付けられた場合には壁側を上側、室内空間など照明される被照射面側が下側と表現する。
【００１２】
［照明器具の構造］
まず、照明器具１の構造について説明する。
【００１３】
図１は、実施の形態１に係る照明器具１の外観斜視図である。
【００１４】
図２は、実施の形態１に係る照明器具１の分解斜視図である。なお、図２では、筺体１０の分解斜視図は示されておらず、筺体１０の分解斜視図は、後述する図３に示される。
【００１５】
図１の（ａ）及び図２の（ａ）は、照明器具１を上側から見た外観斜視図である。図１の（ｂ）及び図２の（ｂ）は、照明器具１を下側から見た外観斜視図である。図１及び図２では、部材同士を固定するねじについては、図示していない。なお、図３以降についても、部材同士を固定するねじについては、図示していない。
【００１６】
照明器具１は、筺体１０と筺体１０を覆う器具本体１００とを備え、図４に示す被取付部２００に取り付けられる。ここで、被取付部２００は、例えば、引掛シーリングである。筺体１０には、後述する第１の発光素子３２と第２の発光素子４２とが設けられ、例えば、第１の発光素子３２と第２の発光素子４２とを覆う透光性カバー９０が設けられる。筺体１０は、例えば円形の蓋部分（上部２０と呼ぶ）と第１の発光素子３２及び第２の発光素子４２が設けられる有底円筒形部分とから構成される。図２では、有底円筒形部分は透光性カバー９０に覆われているため、図示されていない。
【００１７】
透光性カバー９０は、上側が開口した有底円筒形の形状を有する。透光性カバー９０は、筺体１０の有底円筒形部分を覆って、筺体１０に設けられる。これにより、透光性カバー９０は、筺体１０の外面の一部を構成し、第１の発光素子３２及び第２の発光素子４２を保護している。透光性カバー９０は、第１の発光素子３２及び第２の発光素子４２が発する光を筺体１０の外部に透光する材料で構成されている。透光性カバー９０は、例えば、アクリル又はポリカーボネート等の樹脂材料、又は、ガラス材料等により形成される。透光性カバー９０は、例えば、光拡散機能を有していないが、例えば、第１の発光素子３２及び第２の発光素子４２からの光を拡散するための光拡散機能を有していてもよい。
【００１８】
筺体１０は、筺体１０が被取付部２００に取り付けられたときに、上部２０が上側、透光性カバー９０が下側となるように被取付部２００に取り付けられる。言い換えると、上部２０は天井側に位置し、透光性カバー９０は床面側に位置する。図２では、透光性カバー９０により筺体１０の詳細は図示されないが、筺体１０については、後述する図３で詳細に説明する。
【００１９】
器具本体１００は、反射板１１０と透光性カバー１２０とを備え、照明器具１の外面を構成する。器具本体１００は、反射板１１０と透光性カバー１２０との間に筺体１０が配置された状態で反射板１１０に透光性カバー１２０が取り付けられることで、筺体１０を覆う。具体的には、器具本体１００は、筺体１０の上部２０の上面に反射板１１０が載置された状態で反射板１１０に透光性カバー１２０が取り付けられることで、筺体１０を覆う。
【００２０】
反射板１１０は、例えば金属部材で板状に形成された反射板であり、筺体１０に設けられた発光素子が発する光を反射板１１０（後述する反射部１１３）の下面において反射する。反射板１１０は、照明器具１が被取付部２００に取り付けられた状態において、器具本体１００における被取付部２００側（上側）に設けられる。反射板１１０は、筺体１０の上部２０を上部２０側から覆う。反射板１１０は、例えば、下側が開口した有底円筒形の形状を有する。具体的には、反射板１１０は、円形形状の反射部１１３と反射部１１３の周縁から下側へ突出した周壁１１４を有する。反射部１１３と周壁１１４とは、例えば、一体に形成される。
【００２１】
反射部１１３は、筺体１０に設けられた発光素子が発する光を反射部１１３の下面において反射する。反射部１１３は、例えば反射部１１３の中央に、筺体１０の上部２０の一部を露出させる円形の開口１１１が設けられる。なお、開口１１１は、円形に限らず、多角形等であってもよい。また、開口１１１の周縁の領域を周縁部１１２とし、筺体１０の上部２０の上面に反射板１１０が載置されることで、筺体１０の上部２０の一部を露出した状態で、周縁部１１２と筺体１０の上部２０とは当接する。周壁１１４には、例えば、反射板１１０と透光性カバー１２０とを取り付けるための係合部が設けられる。周壁１１４に設けられる係合部は、限定されないが、例えば、周壁１１４の内周面に設けられるねじ山（図示せず）である。なお、反射板１１０の作用については、後述する図７で詳細に説明する。
【００２２】
透光性カバー１２０は、照明器具１が被取付部２００に取り付けられた状態において、器具本体１００における床面側（下側）に設けられる。透光性カバー１２０は、筺体１０を透光性カバー９０側から覆って、反射板１１０に取り付けられる。透光性カバー１２０は、筺体１０に設けられた発光素子が発する光（透光性カバー９０を透光した光）を照明器具１の外部に透光する材料で構成されている。透光性カバー１２０は、例えば、アクリル又はポリカーボネート等の樹脂材料、又は、ガラス材料等により形成される。また、透光性カバー１２０は、例えば、筺体１０に設けられた発光素子が発する光を拡散するための光拡散機能を有する。透光性カバー１２０は、例えば、上側が開口した有底円筒形の形状を有する。具体的には、透光性カバー１２０は、円形形状の底面１２１と底面１２１の周縁から上側へ突出した周壁１２２を有する。底面１２１と周壁１２２とは、例えば、一体に形成される。筺体１０に設けられた発光素子が発する光は、底面１２１及び周壁１２２が有する光拡散機能により拡散されて照明器具１の外部へ出射される。また、周壁１２２には、例えば、反射板１１０と透光性カバー１２０とを取り付けるための係合部が設けられる。周壁１２２に設けられる係合部は、限定されないが、例えば、周壁１２２の外周面に設けられるねじ山（図示せず）であり、周壁１１４の内周面に設けられるねじ山と螺合する。
【００２３】
次に、筺体１０の詳細な構造について、図３を用いて説明する。
【００２４】
図３は、実施の形態１に係る筺体１０の分解斜視図である。図３には、筺体１０が蓋部分（上部２０）と有底円筒形部分とに分解された図が示される。図３の（ａ）は、筺体１０を上側から見た分解斜視図である。図３の（ｂ）は、筺体１０を下側から見た分解斜視図である。また、図３では、透光性カバー９０を図示していない。
【００２５】
上述したように、筺体１０は、例えば円形の蓋部分（上部２０）と透光性カバー９０に覆われる有底円筒形部分とから構成される。ここで、有底円筒形部分のうち円形の底を底部４０、底部４０の周縁から上部２０へ突出した周壁を周部３０と呼ぶ。周部３０及び底部４０は、例えば一体に形成される。なお、周部３０と底部４０とは断面視において直角の関係となっているが、所望の配光を得るため傾斜をもたせてもよい。
【００２６】
筺体１０の上部２０には、被取付部２００に着脱自在に取り付けられる電力供給用の給電端子２１が設けられる。給電端子２１が被取付部２００に取り付けられることで、照明器具１が被取付部２００に取り付けられる。給電端子２１は、上部２０の上面（天井と対向する面）に設けられる。給電端子２１は、例えば、金属製の板状の部材であり、給電端子２１の一端は、上部２０の上面から突出し、被取付部２００に着脱自在に取り付けられる。給電端子２１の他端は、筺体１０の内部に配置され、後述の電源回路５０又は発光素子を搭載した基板等に電力を供給する。給電端子２１は、照明器具１を被取付部２００に電気的及び機械的に接続するための例えば一対の栓刃である。ユーザは、給電端子２１を、被取付部２００の一対の刃受け（後述する端子挿入孔２１０）に挿入し、筺体１０を回動、すなわち筺体１０の軸を中心に回転させて、筺体１０を被取付部２００に係止保持させる。これにより、照明器具１は、被取付部２００に電気的及び機械的に接続される。
【００２７】
上部２０は、給電端子２１の周囲の領域２２と、給電端子２１の周囲の領域２２以外の領域２３とを有する。筺体１０の上部２０のうちの給電端子２１の周囲の領域２２は、樹脂部材で形成される。また、筺体１０の上部２０のうちの給電端子２１の周囲の領域２２以外の領域２３は、金属部材で形成されている。給電端子２１には、例えば交流電力が供給されるため、給電端子２１と金属部材の領域２３との絶縁性を確保するために、領域２２は樹脂材料で形成されることが好ましい。また、一般的に照明器具は熱を発するため、照明器具で発生した熱を放熱する必要がある。したがって、領域２２以外の領域２３は金属部材で形成されることが好ましい。また、領域２２は放熱性能の高い樹脂部材で形成されることが好ましい。なお、領域２３においても、放熱性能の高い樹脂部材で形成されてもよい。
【００２８】
上部２０は、例えば、ねじ孔２４ａが３箇所設けられている。ねじ孔２４ａは、筺体１０の蓋部分（上部２０）を有底円筒形部分（周部３０及び底部４０）に取り付けるためのねじ孔である。
【００２９】
筺体１０の周部３０には、少なくとも１つの第１の発光素子３２が設けられる。本実施の形態においては、第１の発光素子３２は、例えば、長尺状の基板３１に所定の間隔をおいて一列に実装されている。この基板３１が筺体１０の周部３０に設けられることで、周部３０の外周面に亘って、第１の発光素子３２が複数個設けられる。第１の発光素子３２は、例えば、ＬＥＤ（Ｌｉｇｈｔ  Ｅｍｉｔｔｉｎｇ  Ｄｉｏｄｅ）光源である。第１の発光素子３２は、例えば筺体１０の周囲横方向の外方に光を照射する。ここで、筺体１０の横方向とは、筺体１０の真横方向に限らず、真横方向を中心とした上下の所定の範囲を含む方向である。本実施の形態では、周部３０は円筒形状の湾曲面を有していることから、基板３１としては例えばフレキシブル基板であることが好ましい。例えば、基板３１としてフレキシブル基板を用いることで、第１の発光素子３２を設けていない側であるフレキシブル基板の裏面を、周部３０の湾曲面に密着させることができる。したがって、基板３１は第１の発光素子３２からの点灯中に発生する熱を筺体１０に伝えるため、基板３１を放熱に寄与させることができる。
【００３０】
筺体１０の底部４０の下面（床面と対向する面）には、少なくとも１つの第２の発光素子４２が実装された基板４１が設けられる。本実施の形態においては、第２の発光素子４２が所定の間隔をもって複数個実装された板形状の基板４１が底部４０に設けられる。第２の発光素子４２は、例えば、第１の発光素子３２と同様にＬＥＤ光源を用いている。第２の発光素子４２は、例えば筺体１０の下方向を照射する。ここで、筺体１０の下方向とは、筺体１０の真下方向に限らず、真下方向を中心とした左右の所定の範囲を含む方向である。
【００３１】
また、筺体１０は、着脱部６０を備える。着脱部６０は、給電端子２１を被取付部２００に着脱自在に取り付ける構造を有する。着脱部６０は、ロック解除部７０とロック部８０とを有する。ロック解除部７０は、ロック解除ボタン７１を有し、ロック部８０は、ロック爪部８１を有する。着脱部６０は、後述する図５及び図６で詳細に説明する。
【００３２】
図３の（ａ）に示されるように、筺体１０の内部には、第１の発光素子３２及び第２の発光素子４２のそれぞれに電力を供給する電源回路５０が設けられる。電源回路５０は、例えば、給電端子２１からの交流電力を直流電力に変換し、直流電力を第１の発光素子３２及び第２の発光素子４２に供給する。電源回路５０は、図３の（ａ）に示されるように、例えば、ケースに収納されている。なお、電源回路５０は、絶縁性等が保たれるのであればケースに収納されなくてもよい。
【００３３】
また、筺体１０の内部には、ねじ受け孔２４ｂが３箇所設けられている。ねじ受け孔２４ｂは、筺体１０の上部２０を周部３０及び底部４０に取り付けるためのねじ孔である。なお、上部２０と、一体に形成された周部３０及び底部４０とを取り付ける方法は、ねじ止めに限らない。また、上部２０と、一体に形成された周部３０及び底部４０とが取り付けられたが、これに限らない。例えば、底部４０と、一体に形成された上部２０及び周部３０とが取り付けられてもよい。また、上部２０と周部３０と底部４０とがそれぞれ独立に形成され、上部２０と周部３０とが取り付けられ、周部３０と底部４０とが取り付けられてもよい。
【００３４】
図３の（ｂ）に示されるように、上述した給電端子２１の他端として給電部２１ａが筺体１０の内部に配置される。給電部２１ａは、電源回路５０に電力を供給するための端子であり、例えば、電源回路５０に電力を供給するための電線（図示せず）が接続される。これにより、電源回路５０は、被取付部２００から給電端子２１（給電部２１ａ）を介して交流電力が供給される。
【００３５】
また、上部２０は、下側に向けて突出する規制部２５を上部２０の下面に有する。規制部２５については、後述する図６で詳細に説明する。
【００３６】
このように、照明器具１は、照明器具用アダプタを介さず照明器具１を被取付部２００に直接取り付けるための給電端子２１を備える。また、照明器具１は、照明器具１の横方向を照明する第１の発光素子３２及び下方向を照明する第２の発光素子４２と、第１の発光素子３２及び第２の発光素子４２に電力を供給する電源回路５０とを備える。つまり、照明器具用アダプタの内部に電源回路が設けられ、天井側の面以外に発光素子が設けられたものを照明器具１としている。
【００３７】
なお、第１の発光素子３２、第２の発光素子４２及び電源回路５０は、熱を発生するため、周部３０及び底部４０は、金属部材で形成されることが好ましい。なお、周部３０及び底部４０は、放熱性能の高い樹脂部材で形成されてもよい。
【００３８】
［照明器具と被取付部との着脱］
次に、照明器具１と被取付部２００との取り付け方法について説明する。
【００３９】
図４は、実施の形態１に係る照明器具１と被取付部２００との取り付け方法を説明するための図である。
【００４０】
被取付部２００には、一対の刃受けである、端子挿入孔２１０（挿入口２１１及びガイド孔２１２）が設けられる。また、図示されないが、被取付部２００は、内部に給電端子２１を保持する端子受け部を備える。被取付部２００の形状は、例えば、円柱形状である。なお、被取付部２００の形状は、円柱形状に限定されず、例えば、直方体や多角柱形状であってもよい。
【００４１】
照明器具１の被取付部２００への取り付け方法は、以下の通りである。なお、被取付部２００は、天井面に取り付けられているものとする。
【００４２】
図４の（ａ）に示されるように、ユーザは、反射板１１０の開口１１１に被取付部２００の筺体が挿入されるように反射板１１０を押し上げる。このとき、被取付部２００の外径（下面視における直径）よりも開口１１１の直径を大きくすることで、被取付部２００の筺体を開口１１１に挿入することができる。
【００４３】
次に、図４の（ｂ）に示されるように、被取付部２００の筺体を開口１１１に挿入された状態で、筺体１０が被取付部２００に取り付けられる。例えば、ユーザは、被取付部２００の筺体を開口１１１に挿入した状態で、片手で反射板１１０を押さえながら、もう一方の手で筺体１０を被取付部２００に取り付ける。このとき、筺体１０は、上部２０の上面が被取付部２００の下面に対向した状態で取り付けられる。
【００４４】
具体的には、まず、ユーザは、筺体１０の給電端子２１を被取付部２００の挿入口２１１に挿入する。図４の（ｂ）では、給電端子２１は見えないが、図４の（ｂ）に示される挿入口２１１へ向かう矢印の始点に給電端子２１が位置している。給電端子２１が挿入口２１１へ挿入されたとき、筺体１０の上部２０の上面と被取付部２００の下面とが当接した状態となる。このとき、詳細は後述する図６で説明するが、上側へ押し上げられる力がかけられたロック爪部８１は被取付部２００の下面によって押し下げられ、筺体１０の内部に没入する。
【００４５】
次に、ユーザは、底部４０側から見て、被取付部２００に対して筺体１０を時計回りに回動させる。これにより、給電端子２１は、ガイド孔２１２に沿って移動する。給電端子２１がガイド孔２１２の終端に達するまで筺体１０が回動されると、給電端子２１は、被取付部２００の内部に設けられた端子受け部に保持される。これにより、被取付部２００と筺体１０とは、電気的及び機械的に接続される。このように、給電端子２１は、被取付部２００に設けられた端子挿入孔２１０に挿入されることで、被取付部２００に取り付けられる。
【００４６】
また、給電端子２１がガイド孔２１２の終端に達すると、ロック爪部８１の位置が、挿入口２１１の位置に一致する。上述したように、ロック爪部８１には、上側へ押し上げられる力がかけられているため、筺体１０の内部に没入した状態から上部２０の上面から突出した状態になり、挿入口２１１に嵌まり込む。
【００４７】
この状態では、筺体１０の被取付部２００に対する取り外し方向の（反時計回りの）回動は、ロック爪部８１と挿入口２１１の内周面とが当接することによりロック（回動阻止状態）される。このように、ロック爪部８１は、給電端子２１が被取付部２００に取り付けられたときに、上部２０から端子挿入孔２１０へ突出することで、給電端子２１と被取付部２００とをロックする。ユーザは、筺体１０を被取付部２００に取り付けた後に、反射板１１０から手を離し反射板１１０を図４の（ｃ）に示されるように筺体１０の上に載置する。照明器具１は、反射板１１０の開口１１１の直径を筺体１０の上部２０の直径よりも小さくすることで、反射板１１０が筺体１０から抜け落ちない構造を有する。
【００４８】
そして、ユーザは、透光性カバー１２０を反射板１１０に向けて押し上げ、透光性カバー１２０を反射板１１０に取り付ける（例えば透光性カバー１２０と反射板１１０とを螺合する）ことで、照明器具１の被取付部２００への取り付けが完了する。
【００４９】
次に、照明器具１と被取付部２００との取り外し方法について説明する。照明器具１と被取付部２００との取り外し方法は、照明器具１の被取付部２００への取り付け方法と逆の方法で取り外すことができる。つまり、透光性カバー１２０を反射板１１０から取り外し、筺体１０を被取付部２００から取り外すことで照明器具１を被取付部２００から取り外すことができる。反射板１１０は、筺体１０に載置されているため、筺体１０を被取付部２００から取り外すことで反射板１１０を取り外すことできる。ただし、上述したように、筺体１０と被取付部２００とは、ロック爪部８１によってロックされているため、ロックを解除する必要がある。筺体１０と被取付部２００との取り外し方法を図５及び図６を用いて説明する。
【００５０】
図５は、実施の形態１に係る筺体１０と被取付部２００との取り外し方法を説明するための図である。
【００５１】
上述したように、着脱部６０は、給電端子２１を被取付部２００に着脱自在に取り付ける構造を有し、ロック解除部７０とロック部８０とを有する。
【００５２】
ロック部８０は、筺体１０が被取付部２００に取り付けられた状態において、筺体１０が被取付部２００から外れないようにロックするための部材であり、ロック爪部８１を備える。ロック爪部８１は、例えば、上部２０を上下方向に貫通する開口から上側へ突出している。また、ロック部８０は、ロック解除部７０の動作によって移動させられる。
【００５３】
ロック解除部７０は、ロック部８０によるロックを解除するための部材であり、ロック解除ボタン７１を有する。ロック解除部７０は、例えば、樹脂部材で形成される。ロック解除ボタン７１は、例えば、上部２０の上面に設けられる。これにより、第１の発光素子３２を周部３０の外周面の全域に設けることができ、第２の発光素子を底部４０の下面の全域に設けることができる。また、ロック解除ボタン７１が反射板１１０の筺体１０への載置を妨げないために、反射部１１３は、開口１１１の周辺が下側へ凹んだ形状を有する。つまり、反射部１１３の下側へ凹んだ部分（周縁部１１２）が筺体１０の上部２０に当接したときに、ロック解除ボタン７１は、反射部１１３の下側へ凹んだ部分とそれ以外の部分との間に位置するため、反射板１１０の筺体１０への載置を妨げない。ロック解除ボタン７１は、被取付部２００に取り付けられロック爪部８１によってロックされた状態の筺体１０を、被取付部２００から取り外す際に、ユーザに操作される。例えば、ロック解除ボタン７１は、図５の（ａ）に示されるように、上部２０の上面と平行な方向における上部２０の中心方向（図５の（ａ）に示される矢印の方向）に移動させられる。
【００５４】
ロック部８０は、ロック解除ボタン７１が操作される（例えば図５の（ａ）に示される矢印の方向に移動させられる）ことで、下側へ移動させられる。具体的には、ロック解除ボタン７１は、上部２０から端子挿入孔２１０へ突出したロック爪部８１を、図５の（ｂ）に示されるように、筺体１０内へ向けて移動させる（没入させる）。つまり、ロック解除ボタン７１は、ロック爪部８１を筺体１０の内側に向けて移動させる（没入させる）ためのボタンである。これにより、ロック解除ボタン７１は、給電端子２１と被取付部２００とのロック（回動阻止状態）を解除する。
【００５５】
筺体１０が被取付部２００に取り付けられた状態では、ロック爪部８１が被取付部２００の挿入口２１１の内周面に当接し、筺体１０と、被取付部２００とはロックされている。しかしながら、ロック解除ボタン７１が押されると、ロック爪部８１が上部２０の上面側から下面側の方向へ（筺体１０の内側へ）押し下げられるため、ロック爪部８１と挿入口２１１の内周面との当接が解消される。これにより、ユーザは、ロック解除ボタン７１を押したまま、筺体１０を被取付部２００に対して取り外し方向（反時計回りの方向）に向けて回動させることができる。
【００５６】
そして、ユーザは、給電端子２１が被取付部２００の挿入口２１１の位置に達するまで筺体１０を回動させれば、筺体１０を被取付部２００から取り外すことができる。
【００５７】
次に、筺体１０と被取付部２００との取り外し方法についてより詳細に説明する。
【００５８】
図６は、実施の形態１に係る着脱部６０の動作を説明するための模式図である。なお、図６は、側面側から見た筺体１０の内部構造を簡易的に示した図であり、筺体１０（上部２０、周部３０及び底部４０）が断面図として図示されている。また、図６では、透光性カバー９０を図示していない。
【００５９】
図６に示されるように、ロック部８０と底部４０の上面との間にはコイルばね６１が挿入される。これにより、ロック部８０（ロック爪部８１）には、上側へ押し上げられる力がかけられ、図６の（ａ）に示されるように、ロック爪部８１が筺体１０の上部２０の上面から突出させられる。
【００６０】
ロック解除部７０は傾斜面７２を有し、ロック部８０は傾斜面８２を有する。傾斜面７２と傾斜面８２とは、当接し、摺動可能に配置されている。具体的には、ロック解除部７０が、上部２０の上面と平行な方向における上部２０の中心方向（図６の（ｂ）に示される右矢印の方向、以降、右方向と呼ぶ）に力がかけられると、傾斜面７２と傾斜面８２とが当接し、ロック部８０には、右方向の力がかかる。このとき、ロック部８０は、規制部２５によって、右方向への移動が規制されている。したがって、ロック部８０に右方向にかかる力は、傾斜面７２と傾斜面８２とにより下方向への力に変換され、ロック部８０は、下側（図６の（ｂ）に示される下矢印方向）へ移動させられる。
【００６１】
これにより、ユーザがロック解除ボタン７１を上部２０の上面と平行な方向における上部２０の中心方向に押し込むと、ロック解除部７０の傾斜面７２が、ロック部８０の傾斜面８２と摺動する。この結果、コイルばね６１の付勢力（弾性力）に抗してロック爪部８１（ロック部８０）が筺体１０の上部２０の上面側から下面側に押し下げられる。したがって、ユーザは、ロック解除ボタン７１を押したまま、筺体１０を被取付部２００に対して取り外し方向（反時計回りの方向）に向けて回動させることができ、筺体１０を被取付部２００から取り外すことができる。
【００６２】
このように、筺体１０は、給電端子２１を被取付部２００に着脱自在に取り付けるための着脱部６０を有する。具体的には、筺体１０は、着脱部６０のロック部８０（ロック爪部８１）によって、被取付部２００との取り付けをロックさせられ、着脱部６０のロック解除部７０（ロック解除ボタン７１）によって、被取付部２００とのロックは解除させられる。
【００６３】
［反射板の作用］
次に、反射板１１０の作用について図７を用いて説明する。
【００６４】
図７は、実施の形態１に係る反射板１１０の作用を説明するための模式図である。図７には、照明器具１の断面図が示されるが、筺体１０の内部については図示していない。
【００６５】
第１の発光素子３２は筺体１０の周囲横方向（例えば、真横、真横よりも上方及び真横よりも下方）に光を発する。第１の発光素子３２から筺体１０の真横又は真横よりも下方に発せられた光は透光性カバー１２０に到達し、透光性カバー１２０で拡散されて照明器具１の外部に照射される。しかし、第１の発光素子３２から筺体１０の真横よりも上方へ進む光は、例えば、反射板１１０が光を反射しない場合、照明器具１の外部へ照射されない無駄な光となってしまう。
【００６６】
そこで、図７に示されるように、反射板１１０は、第１の発光素子３２が発する光を反射板１１０（反射部１１３）の下面において反射する。なお、図７では、第１の発光素子３２から筺体１０の真横よりも上方へ進む光を模式的に矢印で示しており、第１の発光素子３２から筺体１０の真横及び真横よりも下方に進む光は図示していない。このように、反射板１１０は、例えば、第１の発光素子３２から筺体１０の真横よりも上方へ進む光を透光性カバー１２０へ反射する。なお、本実施の形態では、透光性カバー９０は光拡散機能を有していないが、透光性カバー９０が光拡散機能を有する場合には、反射板１１０は、透光性カバー９０で光拡散された光のうち筺体１０の真横よりも上方へ進む光を透光性カバー１２０へ反射する。
【００６７】
［効果等］
照明器具が照明器具用アダプタを介して被取付部（例えば引掛シーリング）に取り付けられる場合、被取付部と照明器具との間に照明器具用アダプタが配置されるため、被取付部から照明器具までの厚みは、少なくとも照明器具用アダプタの厚み分、厚くなってしまう。
【００６８】
そこで、本実施の形態に係る照明器具１は、筺体１０と、筺体１０の上部２０に設けられ、被取付部２００に着脱自在に取り付けられる給電端子２１と、筺体１０の周部３０に設けられた少なくとも１つの第１の発光素子３２と、筺体１０の底部４０に設けられた少なくとも１つの第２の発光素子４２と、筺体１０の内部に設けられ、第１の発光素子３２及び第２の発光素子４２のそれぞれに電力を供給する電源回路５０とを備える。また、照明器具１は、筺体１０を覆う器具本体１００と、器具本体１００における被取付部２００側に設けられ、第１の発光素子３２からの光を反射するための反射板１１０とを備える。
【００６９】
これにより、照明器具１は、照明器具用アダプタを介さず被取付部２００に直接取り付けるための給電端子２１を備える。また、照明器具１は、照明器具１の横側を照明する第１の発光素子３２及び照明器具１の下側を照明する第２の発光素子４２と、第１の発光素子３２及び第２の発光素子４２に電力を供給する電源回路５０とを備える。つまり、照明器具用アダプタの内部に電源回路が設けられ、天井側の面以外に発光素子が設けられたものを照明器具１としている。したがって、照明器具用アダプタを介さずに照明器具１を被取付部２００に直接取り付けることができるため、照明器具用アダプタの厚み分、被取付部２００から照明器具１までの厚みを薄くすることができる。また、照明器具１は、天井側の面以外に発光素子が設けられているため、広い範囲（照明器具１の横方向及び下方向）を照明することができる。また、反射板１１０は、第１の発光素子３２が発する光を反射するため、照明器具１は、筺体１０から発せられる光を効率良く照明器具１の外部に照射することができる。
【００７０】
また、被取付部２００は引掛シーリングであり、給電端子２１は栓刃であり、給電端子２１は、給電端子２１が被取付部２００に設けられた端子挿入孔２１０に挿入されることで、被取付部２００に取り付けられる。
【００７１】
これにより、照明器具用アダプタを介さずに照明器具１を被取付部２００（引掛シーリング）に直接取り付けることができるため、照明器具用アダプタの厚み分、被取付部２００（引掛シーリング）から照明器具１までの厚みを薄くすることができる。
【００７２】
また、照明器具１は、給電端子２１を被取付部２００に着脱自在に取り付けるための着脱部６０を有する。
【００７３】
これにより、照明器具１は、着脱部６０によって、被取付部２００に着脱自在に取り付けられる。
【００７４】
また、着脱部６０は、ロック爪部８１とロック解除ボタン７１とを有する。ロック爪部８１は、給電端子２１が被取付部２００に取り付けられたときに、上部２０から端子挿入孔２１０内へ突出することで、給電端子２１と被取付部２００とをロックする。また、ロック解除ボタン７１は、操作されることで、上部２０から端子挿入孔２１０内へ突出したロック爪部８１を筺体１０内へ没入させ、給電端子２１と被取付部２００とのロックを解除する。
【００７５】
これにより、ロック爪部８１によって照明器具１と被取付部２００との取り付けがロックされ、ロック解除ボタン７１が操作されることで照明器具１と被取付部２００との取り付けのロックが解除される。つまり、着脱部６０によって、容易に照明器具１を被取付部２００に着脱自在に取り付けることができる。
【００７６】
また、ロック解除ボタン７１は、上部２０の上面に設けられる。
【００７７】
これにより、第１の発光素子３２を周部３０の外周面の全域に設けることができ、第２の発光素子４２を底部４０の下面の全域に設けることができる。
【００７８】
また、筺体１０の上部２０のうちの給電端子２１の周囲の領域２２は、樹脂部材で形成され、筺体１０の上部２０のうちの給電端子２１の周囲の領域２２以外の領域２３は、金属部材で形成されている。
【００７９】
これにより、給電端子２１と領域２３との絶縁性を確保することができる。また、例えば、２つの給電端子２１間の絶縁性を確保することができる。
【００８０】
また、筺体１０には、第１の発光素子３２と第２の発光素子４２とを覆う透光性カバー９０が設けられる。
【００８１】
これにより、第１の発光素子３２と第２の発光素子４２とを保護することができる。
【００８２】
（実施の形態２）
次に、実施の形態２に係る照明器具について図８を用いて説明する。
【００８３】
本実施の形態に係る照明器具は、実施の形態１の反射板１１０の代わりに反射板１１０ａを備える。本実施の形態に係る照明器具の構成は、反射板１１０の代わりに反射板１１０ａを備える点以外は、実施の形態１に係る照明器具１におけるものと同じであるため、詳細な説明は省略する。
【００８４】
図８は、実施の形態２に係る反射板１１０ａの作用を説明するための模式図である。図８には、照明器具の断面図が示されるが、筺体１０の内部については図示を省略している。
【００８５】
反射板１１０ａは、図８に示されるように、実施の形態１の反射部１１３と同じ形状を有する蓋部１１３ａと、反射部１１３ｂとを有する。蓋部１１３ａは、透光性カバー１２０を取り付ける構造を有し、例えば、光を反射する機能を有していなくてもよい。反射部１１３ｂは、筺体１０から器具本体１００の外周へ向けて上側から下側（斜め下側）へ延びている。例えば、反射部１１３ｂは、蓋部１１３ａから分岐して斜め下側へ延びている。言い換えると、反射部１１３ｂは、漏斗状の形状を有する。なお、図８では、反射部１１３ｂの断面は、直線であるが、例えば、反射部１１３ｂは放物線状の曲面を有してもよい。また、反射部１１３ｂは、第１の発光素子３２が発する光を反射部１１３ｂの下面において反射する。なお、図８では、第１の発光素子３２から筺体１０の真横へ進む光を模式的に矢印で示しており、第１の発光素子３２から筺体１０の真横よりも上方及び真横よりも下方に進む光は図示していないが、真横よりも上方に進む光も反射部１１３ｂの下面において反射される。このように、反射板１１０ａは、例えば、第１の発光素子３２から筺体１０の真横及び真横よりも上方へ進む光を透光性カバー１２０の底面１２１へ反射する。
【００８６】
これにより、反射板１１０ａは、第１の発光素子３２が発する光を下側へ向けて反射するため、照明器具は、筺体１０から発せられる光を効率良く照明器具１の下方に集中して照射することができる。
【００８７】
なお、反射板の形状は、実施の形態１における反射板１１０及び実施の形態２における反射板１１０ａの形状に限らず、筺体１０から発せられる光を効率良く照明器具１の外部に照射することができる形状であればよい。
【００８８】
（その他の実施の形態）
以上、実施の形態に係る照明器具について説明したが、本発明は、上記実施の形態に限定されるものではない。
【００８９】
例えば、上記実施の形態では、照明器具は、天井に設けられた被取付部２００に取り付けられたが、これに限らない。例えば、照明器具は、壁などに設けられた被取付部に取り付けられてもよい。
【００９０】
例えば、上記実施の形態では、筺体１０は、円形の蓋部分（上部２０）と有底円筒形部分（周部３０及び底部４０）とから構成されたが、これに限らず、その他の形状を有してもよい。例えば、筺体１０は、四角形（例えば正方形）の蓋部分と有底角筒形部分とから構成されてもよい。
【００９１】
例えば、上記実施の形態では、透光性カバー９０は、有底円筒形の形状を有したが、これに限らず、その他の形状を有してもよい。例えば、透光性カバー９０は、筺体１０の形状に応じた形状を有してもよい。具体的には、筺体１０が、例えば四角形（例えば正方形）の蓋部分と有底角筒形部分とから構成される場合には、透光性カバー９０は、有底角筒形の形状を有してもよい。
【００９２】
また、上記実施の形態では、筺体１０には、透光性カバー９０が設けられたが、これに限らず、透光性カバー９０が設けられなくてもよい。ただし、この場合には、第１の発光素子３２及び第２の発光素子４２が透光性カバー９０に保護されないため、反射板１１０（１１０ａ）と透光性カバー１２０とは、取り外されない構造を有する。
【００９３】
また、上記実施の形態では、底部４０の形状は板状であったが、これに限らず、例えば球状でもよい。具体的には、周部３０から底部４０にかけて球状であってもよい。この場合、基板３１及び４１は例えばフレキシブル基板であることが好ましい。また、周部３０は、底部４０から上部２０に向けて底部４０と垂直に突出したが、これに限らない。例えば、周部３０は、筺体１０の内部側に傾いて底部４０から突出してもよく、筺体１０の外部側に傾いて底部４０から突出してもよい。この場合、周部３０に設けられた第２の発光素子４２は、少なくとも照明器具１の周囲横方向を照射すればよい。
【００９４】
また、上記実施の形態では、ロック解除ボタン７１は、上部２０の上面と平行な方向における上部２０の中心方向に移動させられたが、これに限らない。例えば、ロック解除ボタン７１は、上側又は下側に移動させられてもよい。ただし、この場合、着脱部６０は、ロック解除ボタン７１が上側又は下側に移動させられることでロック爪部８１が下側（筺体１０の内側）へ移動する構造を有する。
【００９５】
また、上記実施の形態では、ロック部８０は、コイルばね６１の付勢力によって上側へ力がかけられたが、これに限らない。例えば、ロック部８０は、その他の弾性部材によって上側へ力がかけられてもよい。
【００９６】
また、上記実施の形態では、照明器具は、反射板１１０に取り付けられて筺体１０を覆う透光性カバー１２０を備えたが、これに限らない。例えば、照明器具は、さらに、筺体１０に取り付けられて第１の発光素子３２及び第２の発光素子４２を覆う透光性カバーを備えてもよい。つまり、第１の発光素子３２及び第２の発光素子４２は、筺体１０に取り付けられる透光性カバーに覆われ、さらに、透光性カバーが取り付けられた筺体１０が器具本体１００（透光性カバー１２０）に覆われてもよい。なお、透光性カバー１２０は、光拡散機能を有したが、第１の発光素子３２及び第２の発光素子４２を覆う透光性カバーは、光拡散機能を有しても、有さなくてもよい。
【００９７】
また、上記実施の形態では、器具本体１００は、上面視において円形の反射板と有底円筒形の透光性カバー１２０とから構成されたが、これに限らず、その他の形状を有してもよい。例えば、器具本体１００は、上面視において四角形（例えば正方形）の反射板と有底角筒形の透光性カバーとから構成されてもよい。
【００９８】
また、上記実施の形態では、反射板は、金属部材で形成されたが、これに限らない。例えば、反射板は、樹脂材料で形成されてもよく、樹脂材料で形成された反射板の下面に、銀又はアルミニウム等の金属材料からなる金属蒸着膜（金属反射膜）を形成してもよい。
【００９９】
また、上記実施の形態では、被取付部２００は、引掛シーリングであり、給電端子２１は栓刃であったが、これに限らない。例えば、給電端子２１は、ＧＸ５３口金又はＧＨ７６ｐ口金等の口金であってもよく、被取付部２００は、これらの口金が取り付けられるソケットであってもよい。
【０１００】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０１】
１  照明器具
１０  筺体
２０  上部
２１  給電端子
２２、２３  領域
３０  周部
３２  第１の発光素子
４０  底部
４２  第２の発光素子
５０  電源回路
６０  着脱部
７１  ロック解除ボタン
８１  ロック爪部
９０、１２０  透光性カバー
１００  器具本体
１１０、１１０ａ  反射板
２００  被取付部
２１０  端子挿入孔
【図１】
2017022010.tif 000003
【図２】
2017022010.tif 000004
【図３】
2017022010.tif 000005
【図４】
2017022010.tif 000006
【図５】
2017022010.tif 000007
【図６】
2017022010.tif 000008
【図７】
2017022010.tif 000009
【図８】
2017022010.tif 000010